(57)【要約】【課題】太陽光発電システムにおいて、気候、気象条件などに適したソーラーパネルの位置調整を行う。【解決手段】太陽光発電システム１００は、ソーラーパネルアレイ５０と架台１０とを備える。架台１０は、一対の脚部２０Ａ、２０Ｂを傾斜する連結部材２０Ｃで繋げたフレーム２０を複数並べることによって構成される架台本体１５と、第１のソーラーパネル群５０Ａ，第２のソーラーパネル群５０Ｂをそれぞれ支持する第１のパネル支持部材３０Ａ，第２のパネル支持部材３０Ｂとを備える。各フレーム２０の連結部材２０Ｃは、第１のパネル支持部材３０Ａを軸回転可能に支持する第１の回転機構７０と、第２のパネル支持部材３０Ｂを軸回転可能に支持する第２の回転機構８０とを備える。【選択図】図１
2020171188.tif 000002
【特許請求の範囲】
【請求項１】
脚部を連結部材で繋げたフレームを、所定間隔でパネル配列方向に複数並べた架台本体と、
パネル配列方向に沿って並列する複数のパネル支持部材と、
前記複数のパネル支持部材によってそれぞれ支持される複数のソーラーパネル群とを備え、
各フレームの連結部材は、互いに異なる高さで設置された複数の回転機構を備え、
前記複数の回転機構は、前記複数のパネル支持部材をそれぞれ軸回転可能に支持することを特徴とする太陽光発電システム。
【請求項２】
前記複数のソーラーパネル群が、フレーム間で、隣り合う連結部材によって区画されるエリア相当の受光エリアを有し、
前記複数の回転機構が、前記複数のソーラーパネル群をそれぞれ鉛直方向から水平方向の間で回転させることが可能であることを特徴とする請求項１に記載の太陽光発電システム。
【請求項３】
相対的に高い位置に設置されたソーラーパネル群は、相対的に低い位置に設置されたソーラーパネル群と比べ、幅が広いことを特徴とする請求項１または２に記載の太陽光発電システム。
【請求項４】
前記複数のソーラーパネル群が、それぞれ、共通のソーラーパネルから構成されていることを特徴とする請求項１乃至３のいずれかに記載の太陽光発電システム。
【請求項５】
互いに向かい合う一対の脚部を傾斜する棒状連結部材で繋げたフレームを、所定間隔でパネル配列方向に複数並べた架台本体と、
パネル配列方向に沿って並列する第１および第２のパネル支持部材とを備え、
各フレームの前記連結部材は、第１および第２の回転機構を備え、
前記第１および第２の回転機構は、前記第１および第２のパネル支持部材をそれぞれ軸回転可能に支持することを特徴とするソーラーパネル用架台。
【請求項６】
前記第１の回転機構が、前記第２の回転機構と比べて、前記連結部材端部までの距離が近い位置に設置されていることを特徴とする請求項５に記載のソーラーパネル用架台。
【請求項７】
前記第１および第２の回転機構の少なくとも一方が、ボールジョイントを含むことを特徴とする請求項５または６に記載のソーラーパネル用架台。
【請求項８】
前記第１および第２のパネル支持部材と連結し、前記脚部に固定されることによって、前記第１および第２のパネル支持部材をそれぞれ位置決めする第１および第２の固定部材をさらに備えることを特徴とする請求項５乃至７のいずれかに記載のソーラーパネル用架台。
【請求項９】
前記第１および第２の固定部材が、一方の脚部に対し固定されることを特徴とする請求項８に記載のソーラーパネル用架台。
【請求項１０】
前記第１および第２の固定部材の少なくとも一方が、先端部が軸回転して折れ曲がる棒状部材によって構成されることを特徴とする請求項８または９に記載のソーラーパネル用架台。
【請求項１１】
請求項５乃至１０のいずれかに記載のソーラーパネル用架台を備えたことを特徴とする太陽光発電システム。
【請求項１２】
第１のソーラーパネル群を回転可能に支持するとともに、前記第１のソーラーパネル群のパネル背面側と向かい合う第２のソーラーパネル群を、前記第１のソーラーパネル群よりも高い位置で回転可能に支持する架台を備えた太陽光発電システムにおいて、
気象条件または設置場所に応じて、前記第２のソーラーパネル群を、前記第１のソーラーパネル群よりも小さい傾斜角度で位置決めすることを特徴とするソーラーパネルの位置調整方法。
【請求項１３】
冬季もしくは降雪時において、前記第１のソーラーパネル群を、鉛直方向に沿うように位置決めし、前記第２のソーラーパネル群を、傾斜させて位置決めすることを特徴とする請求項１２に記載のソーラーパネルの位置調整方法。
【発明の詳細な説明】
【技術分野】
【０００１】
本発明は、太陽光発電システムに関し、特に、ソーラーパネル用架台およびソーラーパネルの位置調整（パネル向きの調整）に関する。
【背景技術】
【０００２】
太陽光発電システムでは、多数のソーラーパネル（太陽電池モジュールともいう）が、所定方向（例えば、東西方向）に並んで配置されている。ソーラーパネルは、セルが並ぶ受光面を空側に向けた状態で、ソーラーパネル用架台に設置される。
【０００３】
発電量を増やすため、ソーラーパネルの傾斜角度を調整する回転機構が、ソーラーパネル用架台に装備されている。例えば、アクチュエータが、太陽の動きに合わせてソーラーパネルを回転させる。これによって、ソーラーパネルの受光面を太陽の方向へ常時向けることができる（特許文献１参照）。また、ユーザが、手動操作によってソーラーパネルを回転させることもできる（特許文献２参照）。
【先行技術文献】
【特許文献】
【０００４】
【特許文献１】特開２０１３−１４２４７７号公報
【特許文献２】実用新案登録第３１９０４２１号公報
【発明の概要】
【発明が解決しようとする課題】
【０００５】
従来の太陽光発電システムでは、架台に設置されたソーラーパネルすべてが、同じ方向に向けられる。しかしながら、このような柔軟性のないソーラーパネルの位置調整は、ソーラーパネルの設置場所の気候、気象条件などによって、効率よく発電できない状況を生じさせる。
【０００６】
したがって、気候、気象条件などに適したソーラーパネルの位置調整およびそれを可能にするソーラーパネル用架台および太陽光発電システムが求められる。
【課題を解決するための手段】
【０００７】
本発明の一態様である太陽光発電システムは、脚部を連結部材で繋げたフレームを、所定間隔でパネル配列方向に複数並べた架台本体と、パネル配列方向に沿って並列する複数のパネル支持部材と、複数のパネル支持部材によってそれぞれ支持される複数のソーラーパネル群とを備える。各フレームの連結部材は、互いに異なる高さで設置された複数の回転機構を備え、複数の回転機構は、複数のパネル支持部材をそれぞれ軸回転可能に支持する。例えば、複数のソーラーパネル群は、水平方向から架台正面側に向けて傾斜し、鉛直方向まで回転することが可能である。
【０００８】
本発明の他の態様であるソーラーパネル用架台は、互いに向かい合う一対の脚部を傾斜する棒状連結部材で繋げたフレームを、所定間隔でパネル配列方向に複数並べた架台本体と、パネル配列方向に沿って並列する第１および第２のパネル支持部材とを備え、各フレームの連結部材は、第１および第２の回転機構を備え、第１および第２の回転機構は、第１および第２のパネル支持部材をそれぞれ軸回転可能に支持する。例えば、第１、第２のパネル支持部材は架台正面側に向けて回転することが可能である。
【０００９】
本発明の他の態様であるソーラーパネルの位置調整方法は、第１のソーラーパネル群を回転可能に支持するとともに、第１のソーラーパネル群のパネル背面側と向かい合う第２のソーラーパネル群を、第１のソーラーパネル群よりも高い位置で回転可能に支持する架台を備えた太陽光発電システムにおいて、気象条件または設置場所に応じて、第２のソーラーパネル群を、第１のソーラーパネル群よりも小さい傾斜角度で位置決めする。ここでの傾斜角度は、水平位置からの傾斜角度を表す。例えば、冬季の間、冬季の一部期間、あるいは降雪時前後の所定期間、パネル位置を調整することができる。
【発明の効果】
【００１０】
本発明によれば、太陽光発電システムにおいて、気候、気象条件などに適したソーラーパネルの位置調整を行うことができる。
【図面の簡単な説明】
【００１１】
【図１】本実施形態である太陽光発電システムの概略的斜視図である。
【図２】図１の部分拡大図である。
【図３】第１の回転機構を示した概略的平面図である。
【図４】第１のソーラーパネル群、第２のソーラーパネル群の位置（角度）調整を示した図である。
【発明を実施するための形態】
【００１２】
以下、図面を参照して本発明の実施形態について説明する。
【００１３】
図１は、本実施形態である太陽光発電システムの概略的斜視図である。図２は、図１の部分拡大図である。ただし、図２では、ソーラーパネルの一部を取り除いて図示している。
【００１４】
太陽光発電システム１００は、ソーラーパネル用の架台１０と、ソーラーパネルアレイ５０とを備える。ソーラーパネルアレイ５０で生じた電力は、接続箱、パワーコンディショナー（いずれも不図示）などを経由して、送電系に供給される。
【００１５】
架台１０は、角度可変式の架台であって、複数のフレーム２０から成る架台本体１５と、パネル支持部材３０Ａ，３０Ｂとを備える。ここでは、架台本体１５が、３つのフレーム２０から構成され、平坦な地面ＦＦに設置されている。３つのフレーム２０は、所定の間隔Ｔで配置されている。以下では、フレーム２０の並ぶ方向、すなわち、第１、第２のパネル支持部材３０Ａ，３０Ｂが延びる方向を、パネル配列方向Ｍとする。
【００１６】
複数の矩形状ソーラーパネル（太陽電池モジュールともいう）ＳＰを配列させたソーラーパネルアレイ５０は、架台１０に設置されている。ソーラーパネルアレイ５０では、第１のパネル支持部材３０Ａに沿って並べたパネル群（以下、第１のソーラーパネル群という）５０Ａと、第２のパネル支持部材３０Ｂに沿って並べたパネル群（以下、第２のソーラーパネル群という）５０Ｂから構成される。
【００１７】
第１のソーラーパネル群５０Ａは、１枚の矩形状ソーラーパネルＳＰを、その長手方向がパネル配列方向Ｍに沿うように並べたパネル群であり、第１のパネル支持部材３０Ａによって支持される。図２に示すように、第１のパネル支持部材３０Ａに支持されるソーラーパネルＳＰは、１対の支持グリップ９０Ａ、９０Ａに取り付けられている。
【００１８】
隣り合うフレーム２０の距離間隔Ｔは、隣り合うフレーム２０の間に２枚のソーラーパネルＳＰが設置されように、定められている。また、フレーム２０の脚部２０Ａ、２０Ｂの距離間隔Ｌも、ここでは１枚のソーラーパネルＳＰのサイズに従って定められている。
【００１９】
第２のソーラーパネル群５０Ｂは、パネル縦方向（パネル配列方向Ｍに垂直な方向Ｎ）に２枚のソーラーパネルＳＰを隣接させ、それらの長手方向がパネル配列方向Ｍに沿うように並べたパネル群であり、第２のパネル支持部材３０Ｂによって支持される。図２に示すように、第２のパネル支持部材３０Ｂに支持されるソーラーパネルＳＰは、１対の支持グリップ９０Ｂ，９０Ｂに取り付けられている。隣り合うフレーム２０の間には、４枚のソーラーパネルＳＰが互いに隣接した状態で設置されている。
【００２０】
フレーム２０は、一対の棒状脚部２０Ａ，２０Ｂと、一対の脚部２０Ａ，２０Ｂの端部同士を繋げる棒状の連結部材２０Ｃとから成る。脚部２０Ｂは、脚部２０Ａよりも長く、地面に設置したときの脚部２０Ｂの高さＪＢは、脚部２０Ａの高さＪＡを超える。連結部材２０Ｃは、水平方向に対して傾斜し、脚部２０Ａ、２０Ｂから延びる補強材２０Ｄ、２０Ｅと連結している。
【００２１】
フレーム２０の連結部材２０Ｃには、第１の回転機構７０、第２の回転機構８０が設けられている。第１の回転機構７０は、パネル支持部材３０Ａを軸回転可能に支持し、第２の回転機構８０は、パネル支持部材３０Ｂを軸回転可能に支持する。第１、第２のソーラーパネル群５０Ａ、５０Ｂは、それぞれパネル縦方向の中央部分で第１、第２の回転機構７０、８０によって支持され、回転機構７０、８０から第１、第２ソーラーパネル群５０Ａ、５０Ｂの両端面までの距離が等しい。
【００２２】
第１のソーラーパネル群５０Ａは、その幅方向（パネル縦方向Ｎ）の中央部分でパネル支持部材３０Ａにより単軸支持されているため、パネル支持部材３０Ａの軸回転に応じて、パネル支持部材３０Ａ周りに回転する。第２のソーラーパネル群５０Ｂは、その幅方向中央部分でパネル支持部材３０Ｂに単軸支持されているため、パネル支持部材３０Ｂの軸回転に応じて、パネル支持部材３０Ｂ周りに回転する。
【００２３】
図３は、第１の回転機構７０を示した概略的平面図である。第１の回転機構７０は、球面接触によって任意の角度に変更可能なボールジョイントを備え、０°〜９０°の範囲で回転可能である。そのため、第１のパネル支持部材３０Ａは、その軸回転可能な範囲に制限がなく、第１のソーラーパネル群５０Ａのパネル向きを、任意に定めることができる。第２の回転機構８０も、同様に構成されている。
【００２４】
第２のソーラーパネル群５０Ｂの幅ＷＢは、第１のソーラーパネル群５０Ａの幅ＷＡよりも短い（図２参照）。そのため、連結部材２０Ｃにおいて、第１の回転機構７０から第１の脚部２０Ａの端部（連結部分）までの距離は、第２の回転機構８０から第２の脚部２０Ｂの端部までの距離よりも短い。
【００２５】
第１のソーラーパネル群５０Ａと第２のソーラーパネル群５０Ｂは、互いに回転可能な範囲で、密に隣り合っている。隣り合うフレーム２０の間において、第１のソーラーパネル群５０Ａの受光エリア５５Ａと、第２のソーラーパネル群５０Ｂの受光エリア５５Ｂとを合算した受光エリアは、隣り合うフレーム２０の連結部材２０Ｃによって区画されるエリアＥＡと概ね同じサイズを有する。
【００２６】
第１のパネル支持部材３０Ａ、第２のパネル支持部材３０Ｂの端部には、第１の操作部材７５Ａ、第２の操作部材７５Ｂが着脱自在に装着可能である（図２参照）。作業者がパネル向きを調整する場合、作業者は、棒状である第１の操作部材７５Ａ、第２の操作部材７５Ｂを回すことによって、第１のソーラーパネル群５０Ａ，第２のソーラーパネル群５０Ｂを回転させる。
【００２７】
第１のパネル支持部材３０Ａ、第２のパネル支持部材３０Ｂは、それぞれ第１、第２の固定部材６０Ａ、６０Ｂによって位置決めされる。第１、第２の固定部材６０Ａ，６０Ｂは、その先端部が第１、第２のパネル支持部材３０Ａ、３０Ｂにそれぞれ取り付けられている。第１、第２の固定部材６０Ａ，６０Ｂの他方の端部は、ともに脚部２０Ｂに取り付けられ、固定されている。
【００２８】
第２の固定部材６０Ｂの先端部６０Ｔ（図２参照）は、第２のパネル支持部材３０Ｂから架台正面側、すなわち脚部２０Ａ側へ延びている。第２の固定部材の先端部６０Ｔは、その端部を中心にして軸回転可能である。第２の固定部材６０Ｂは、２つ分のフレーム距離間隔で第２のパネル支持部材３０Ｂに取り付けられている（図１参照）。第１の固定部材６０Ａも同様の構成となっている。
【００２９】
このような架台１０を備えた太陽光発電システム１００では、第１のソーラーパネル群５０Ａと第２のソーラーパネル群５０Ｂが、それぞれ独立して回転可能であり、作業者は、第１のソーラーパネル群５０Ａと第２のソーラーパネル群５０Ｂを、任意の角度で位置決めすることができる。以下、ソーラーパネルの位置調整について説明する。
【００３０】
図４は、第１のソーラーパネル群５０Ａ，第２のソーラーパネル群５０Ｂの位置決めの角度を示した図である。以下では、パネルが水平（パネルの向きが鉛直方向にある）であるときを０°、パネルが鉛直方向に平行（パネルの向きが水平方向を向く）であるときを９０°とする。なお、第１、第２の操作部材７５Ａ、７５Ｂは図示していない。
【００３１】
本実施形態では、第１のソーラーパネル群５０Ａ、第２のソーラーパネル群５０Ｂは、０°〜９０°の範囲で段階的に傾斜角度を調整可能となっている。ここでは、傾斜角度を０°、１０°、１５°、２０°、３０°、４０°、５０°、６０°、７０°、８０°、９０°に設定することが可能である。第１のソーラーパネル群５０Ａ、第２のソーラーパネル群５０Ｂは、ともに水平角度（０°）から架台正面側に向けてパネル向きを傾斜させるように回転する。
【００３２】
作業者は、第１、第２の操作部材７５Ａ，７５Ｂに対し、定められたパネル位置（傾斜角度）に応じて回転させる。第１、第２の固定部材６０Ａ、６０Ｂには、上記傾斜角度に応じた複数の固定用の孔がそれぞれ形成されている。作業者は、第１、第２の固定部材６０Ａ、６０Ｂの複数の固定用の孔か定められたパネル位置に相当する孔にピンを入れ、脚部２０Ｂに差し込む。これによって、第１、第２の固定部材６０Ａ，６０Ｂが固定され、第１のソーラーパネル群５０Ａ、第２のソーラーパネル群５０Ｂが位置決めされる。
【００３３】
架台正面側に突出し、折れ曲がる先端部を備えた第１、第２の固定部材６０Ａ，６０Ｂは、簡易な構造でありながら、第１、第２のソーラーパネル群５０Ａ、５０Ｂを容易に位置決めすることを可能にしている。特に、第１、第２のパネル支持部材３０Ａ、３０Ｂと脚部とを連結することで、パネル支持を強固にしている。また、第１、第２の固定部材６０Ａ，６０Ｂがともに脚部２０Ｂに固定されることで、第１のソーラーパネル群５０Ａを０°〜９０°の範囲で回転させることを可能にしている。
【００３４】
第１のソーラーパネル群５０Ａ，第２のソーラーパネル群５０Ｂは独立して回転し、その傾斜角度は別々に定めることが可能である。一方、傾斜角度を所定角度（ここでは３０°）に定めることによって、第１のソーラーパネル群５０Ａと第２のソーラーパネル群５０Ｂを、連結部材２０Ｃの傾斜角度に沿った同一平面上に位置決めすることが可能である。
【００３５】
図４（Ａ）は、冬季のパネル位置（向き）を示している。第１のソーラーパネル群５０Ａ，第２のソーラーパネル群５０Ｂは、いずれも鉛直方向に沿った位置（９０°の角度）で位置決めされている。
【００３６】
冬季に雪が降り積もると、雪面からの反射光が、第１のソーラーパネル群５０Ａ，第２のソーラーパネル群５０Ｂに向かう。また、冬季では、太陽の高さが低い。そのため、このようなパネル位置によって発電量を向上させることができる。また、第２のソーラーパネル群５０Ｂは、第１のソーラーパネル群５０Ａよりも高い位置で回転する。したがって、降雪量が多い年でも、第２のソーラーパネル群５０Ｂは、鉛直方向に沿った位置（９０°の角度）に定めることが可能となる。これは、第２のソーラーパネル群５０Ｂにかかる雪の荷重を減らし、架台１０の構造における機械的ストレスをより小さくする。特に、このような架台１０の構造は、豪雪地帯に適している。
【００３７】
さらに、第２のソーラーパネル群５０Ｂの幅ＷＢは、第１のソーラーパネル群５０Ａの幅ＷＡよりも広く、第２のソーラーパネル群５０Ｂ全体の受光エリア５５Ｂは、第１のソーラーパネル群５０Ａ全体の受光エリア５５Ａよりも大きい。そのため、第２のソーラーパネル群５０Ｂが第１のソーラーパネル群５０Ａの背面側の位置にあるにも関わらず、第１のソーラーパネル群５０Ａの存在が、受光に関して大きな障害とならず、効果的な発電を実現することができる。第１、第２のソーラーパネル群５０Ａ，５０Ｂは、ともに共通のソーラーパネルＳＰから構成されるため、第１、第２のソーラーパネル群５０Ａ，５０Ｂを別々に作成し、用意する必要がない。したがって、世界中の多くの種類のソーラーパネルシステムに対して適応させ、カスタマイズすることができる。
【００３８】
図４（Ｂ）は、図４（Ａ）とは異なる冬季のパネル位置を示している。上述したように、第２のソーラーパネル群５０Ｂは、その受光面側で第１のソーラーパネル群５０Ａの背面側と向かい合っている。そのため、雪面からの反射光は、第１のソーラーパネル群５０Ａと比べ、第２のソーラーパネル群５０Ｂに到達しにくい。
【００３９】
一方、最も効果的に発電できるパネル位置は、鉛直方向に沿った位置（９０°）とは限らず、適切なパネル位置が、所定の傾斜角度をもつ地域に架台１０が設置される場合もある。例えば、冬季に適切なパネル位置として、第２のソーラーパネル群５０Ｂの傾斜角度は６０°に定められる。このような気象条件、設置条件などに合わせて、第２のソーラーパネル群５０Ｂは、傾斜させた位置で固定される。
【００４０】
第１、第２のソーラーパネル群５０Ａ，５０Ｂを鉛直方向に沿って位置決めさせたときのパネル最下位置は、フレームの脚部２０Ａ，２０Ｂの長さ、第１、第２のソーラーパネル群５０Ａ，５０Ｂのサイズ、回転軸の高さによって変わる。積雪の多い地域に太陽光発電システム１００を構築した場合、予想される積雪量に合わせてフレーム２０の脚部２０Ａ，２０Ｂの長さが定められる。
【００４１】
一方、ソーラーパネルアレイ５０の設置高さは、行政の設置基準、規制などによって制限されることもある。例えば、図４（Ａ）のように、第２のソーラーパネル群５０Ｂを鉛直方向まで回転させた場合、その最も高い箇所が、行政の基準値以下としなければならない。このような行政規制に合わせて、第２のソーラーパネル群５０Ｂを傾斜させて固定することができる。また、異なる長さをもつ脚部を用いることによって、ソーラーパネルアレイ５０の最も高い位置を調整することが可能であり、第２のソーラーパネル群５０Ｂを９０°まで回転させても行政基準を満たすことができる。
【００４２】
一方、第１のソーラーパネル群５０Ａは、雪面からの反射光を十分受けることができるので、鉛直方向に沿った位置に位置決めされている。第１のソーラーパネル群５０Ａは、その幅ＷＡが狭く、すなわち可動範囲が狭い。そのため、第１のソーラーパネル群５０Ａを鉛直方向に沿った位置に位置決めしても、雪面に到達する可能性が低く、脚部２０Ａ，２０Ｂの高さを必要以上に高くしなくて済む。なお、第１のソーラーパネル群５０Ａは、厳密に鉛直方向に沿って位置決めする必要はない。また、第２のソーラーパネル群５０Ｂは、第１のソーラーパネル群５０Ａよりも傾斜角度が小さくなるように位置決めすればよい。
【００４３】
図４（Ｃ）は、夏季のパネル位置を示している。第１のソーラーパネル群５０Ａ，第２のソーラーパネル群５０Ｂは、同じ傾斜角度（例えば１５°）で位置決めされている。上述したように、第１のソーラーパネル群５０Ａ，第２のソーラーパネル群５０Ｂは、互いに回転可能な範囲で密に隣り合っている。そのため、第１のソーラーパネル群５０Ａと第２のソーラーパネル群５０Ｂとが分かれていないパネル構造、すなわち、受光エリア５５Ａ、５５Ｂが１枚のパネルとして構成されたパネル構造と同じような発電量を得ることができる。
【００４４】
このように本実施形態によれば、太陽光発電システム１００は、ソーラーパネルアレイ５０と架台１０とを備える。架台１０は、一対の脚部２０Ａ、２０Ｂを傾斜する連結部材２０Ｃで繋げたフレーム２０を複数並べることによって構成される架台本体１５と、第１のソーラーパネル群５０Ａ，第２のソーラーパネル群５０Ｂをそれぞれ支持する第１のパネル支持部材３０Ａ，第２のパネル支持部材３０Ｂとを備える。そして、各フレーム２０の連結部材２０Ｃは、第１のパネル支持部材３０Ａを軸回転可能に支持する第１の回転機構７０と、第２のパネル支持部材３０Ｂを軸回転可能に支持する第２の回転機構８０とを備える。
【００４５】
ここまでは、冬季、夏季におけるパネル位置（パネル向き）について説明したが、他の気象条件などに応じてパネル位置を調整してもよい。例えば、パネル位置を冬季の一定期間同じ角度で維持する代わりに、降雪時に合わせてパネル位置を調整してもよい。また、降雪地域と同じように、地面付近での反射光をより多く受光することができる気象条件あるいは設置場所の場合、第１のソーラーパネル群５０Ａに比べて第２のソーラーパネル群５０Ｂの傾斜角度を小さくすればよい。
【００４６】
上述したパネル位置調整は、上述した架台１０において実現可能であるが、それ以外の架台にも適用可能である。例えば、パネル回転機構を備えておらず、１枚のソーラーパネルを支持するフレームを並べた架台を隣り合うように配置し、パネル位置を別々に調整してもよい。また、農地用架台、ビルの屋上に装備される架台に対し、同様のパネル位置調整を行ってもよい。パネル位置調整は、手動、自動を問わない。必要に応じて（特に自動の場合）、モータを利用した両軸の駆動を行ってもよい。第１のソーラーパネル群５０Ａ、第２のソーラーパネル群５０Ｂを同じ受光エリアサイズをもつように構成することも可能である。
【符号の説明】
【００４７】
１０  架台
１５  架台本体
２０  フレーム
２０Ａ、２０Ｂ  脚部
２０Ｃ  連結部材
３０Ａ  第１のパネル支持部材
３０Ｂ  第２のパネル支持部材
５０  ソーラーパネルアレイ
５０Ａ  第１のソーラーパネル群
５０Ｂ  第２のソーラーパネル群
６０Ａ  第１の操作部材
６０Ｂ  第２の操作部材
７０  第１の回転機構
７５Ａ、７５Ｂ  固定部材
８０  第２の回転機構
ＳＰ  ソーラーパネル
【図１】
2020171188.tif 000003
【図２】
2020171188.tif 000004
【図３】
2020171188.tif 000005
【図４】
2020171188.tif 000006